(57)【要約】  【課題】幅広い温度領域にわたり低粘度でそれ自体の製造容易性および取り扱い性に優れ、界面活性剤の濃度をより高くすることができ、幅広い温度領域にわたり形態安定性に優れ保存安定性が高く、冷水への溶解性に優れる組成物を提供すること。  【解決手段】３−メトキシ−３−メチル−１−ブタノールおよび界面活性剤を含む組成物によって達成される。当該組成物は、３−メトキシ−３−メチル−１−ブタノールの含有量が１〜４０質量％であることが好ましい。当該組成物は、界面活性剤の含有量が１〜９９質量％であることが好ましい。当該組成物は、水の含有量が６０質量％以下であることが好ましい。【選択図】なし【特許請求の範囲】
【請求項１】
３−メトキシ−３−メチル−１−ブタノールおよび界面活性剤を含む組成物。
【請求項２】
３−メトキシ−３−メチル−１−ブタノールの含有量が１〜４０質量％である、請求項１に記載の組成物。
【請求項３】
界面活性剤の含有量が１〜９９質量％である、請求項１または２に記載の組成物。
【請求項４】
水の含有量が６０質量％以下である、請求項１〜３のいずれかに記載の組成物。
【請求項５】
水の含有量が１〜４０質量％である、請求項１〜４のいずれかに記載の組成物。
【発明の詳細な説明】
【技術分野】
【０００１】
本発明は、界面活性剤を含む組成物に関する。
【背景技術】
【０００２】
界面活性剤は、泡立ち、洗浄、浸透、分散、乳化などの目的で、幅広い分野で使用されている。界面活性剤を配合した製品としては、例えば、芳香剤、家庭用・業務用・工業用の洗剤ないし洗浄剤、乳化重合や懸濁重合用の分散剤、医農薬用の製剤、半導体製造における剥離剤ないし洗浄剤などが挙げられる。
【０００３】
近年、界面活性剤自体の製造や界面活性剤を配合した製品の生産性、保管および運搬、環境への悪影響の軽減、使用の容易さ、コスト削減などを目的として、界面活性剤の高濃度化が検討されている。このような高濃度化は、典型的には、それに含まれる水の量を減らすことによって達成される。
【０００４】
しかしながら、界面活性剤の濃度を単純に向上させた組成物は粘度が高く、製造工程における撹拌が困難であったり、ライン移送効率が低下したりするなどしてそれ自体の製造が困難になることがあり、また、計量精度が低下するなど使用時における取り扱い性にも劣る問題があった。また、界面活性剤の種類やその他の条件によっては、高濃度化自体が困難な場合があったり、一旦、界面活性剤を高濃度に含む組成物を製造できても経時的な形態変化が生じて保存安定性が悪化したりする場合があるなどの問題があった。さらに、界面活性剤を高濃度に含む組成物は、水に溶解して使用する場合も多いが、水への溶解に時間がかかる問題があり、特に冷水への溶解性に劣る問題があった。
【０００５】
ところで、特許文献１には、特定の界面活性剤を特定量含む台所用濃縮液体洗浄剤組成物が記載されており、減粘剤として、エタノール、プロピレングリコールおよびポリエチレングリコールのうちの少なくとも１種以上を含むことが記載されている。また、特許文献２には、ノニオン界面活性剤を１５質量％以上、および、グリセリンないしその誘導体を０．０１〜１０質量％含む液体洗浄剤組成物が記載されている。
【先行技術文献】
【特許文献】
【０００６】
【特許文献１】特開平１１−５００９０号公報
【特許文献２】特開２０１５−２１１０７号公報
【発明の概要】
【発明が解決しようとする課題】
【０００７】
しかしながら、特許文献１に記載された減粘剤や、特許文献２に記載されたグリセリンないしその誘導体を配合したとしても、製造容易性、取り扱い性、高濃度化、保存安定性および冷水への溶解性などの点で、依然として充分なものではなかった。
【０００８】
そこで本発明は、幅広い温度領域にわたり低粘度でそれ自体の製造容易性および取り扱い性に優れ、界面活性剤の濃度をより高くすることができ、幅広い温度領域にわたり形態安定性に優れ保存安定性が高く、冷水への溶解性に優れる組成物を提供することを目的とする。
【課題を解決するための手段】
【０００９】
本発明者らは上記の課題を解決すべく鋭意検討を重ねた結果、高濃度の界面活性剤に３−メトキシ−３−メチル−１−ブタノールを配合することにより、幅広い温度領域にわたり低粘度でそれ自体の製造容易性および取り扱い性に優れ、界面活性剤の濃度をより高くすることができ、幅広い温度領域にわたり形態安定性に優れ保存安定性が高く、冷水への溶解性に優れる組成物が容易に得られることを見出し、当該知見に基づいてさらに検討を重ねて本発明を完成させた。
【００１０】
すなわち本発明は、以下の［１］〜［５］に関する。
［１］３−メトキシ−３−メチル−１−ブタノールおよび界面活性剤を含む組成物。
［２］３−メトキシ−３−メチル−１−ブタノールの含有量が１〜４０質量％である、［１］に記載の組成物。
［３］界面活性剤の含有量が１〜９９質量％である、［１］または［２］に記載の組成物。
［４］水の含有量が６０質量％以下である、［１］〜［３］のいずれかに記載の組成物。
［５］水の含有量が１〜４０質量％である、［１］〜［４］のいずれかに記載の組成物。
【発明の効果】
【００１１】
本発明によれば、幅広い温度領域にわたり低粘度でそれ自体の製造容易性および取り扱い性に優れ、界面活性剤の濃度をより高くすることができ、幅広い温度領域にわたり形態安定性に優れ保存安定性が高く、冷水への溶解性に優れる組成物が提供される。
【発明を実施するための形態】
【００１２】
以下、本発明を詳細に説明する。
【００１３】
本発明の組成物は、３−メトキシ−３−メチル−１−ブタノールおよび界面活性剤を含む。当該構成とすることにより、幅広い温度領域にわたり低粘度でそれ自体の製造容易性および取り扱い性に優れ、界面活性剤の濃度をより高くすることができ、幅広い温度領域にわたり形態安定性に優れ保存安定性が高く、冷水への溶解性に優れる組成物となる。なお、本発明の組成物は、好ましくは２５℃において液体（好ましくは均一・透明な液体）である。
【００１４】
本発明において使用される３−メトキシ−３−メチル−１−ブタノール（以下、「ＭＭＢ」と略称する場合がある）は、沸点が１７４℃のアルコール系溶剤であり、低臭性および低毒性で生分解可能等の特徴を有する。当該ＭＭＢとしては、合成したものを用いてもよいし、市販されているものを用いてもよい。市販されているものとしては、例えば、「ソルフィット」（株式会社クラレ製）などが挙げられる。
【００１５】
本発明の組成物におけるＭＭＢの含有量は、本発明の効果がより顕著に奏されることなどから、１質量％以上であることが好ましく、３質量％以上であることがより好ましく、５質量％以上であることがさらに好ましく、また、４０質量％以下であることが好ましく、３０質量％以下であることがより好ましく、２５質量％以下であることがさらに好ましい。
【００１６】
使用される界面活性剤の種類に特に制限はなく、公知の界面活性剤を用いることができる。当該界面活性剤としては、例えば、アニオン性界面活性剤、カチオン性界面活性剤、ノニオン性界面活性剤、両性界面活性剤などが挙げられ、得られる組成物の用途などに応じて適宜選択すればよい。界面活性剤は１種を単独で使用してもよいし、２種以上を併用してもよい。
【００１７】
上記アニオン性界面活性剤としては、例えば、天然の牛脂、ヤシ油、パーム油等を原料としたカルボン酸塩（石鹸）、アルキルエーテルカルボン酸塩、直鎖アルキルベンゼンスルホン酸またはその塩、アルキル基を有するアルカンスルホン酸塩、α−オレフィンスルホン酸塩、直鎖または分岐鎖のアルキル硫酸エステル塩、アルキルエーテル硫酸エステル塩、アルケニルエーテル硫酸エステル塩、α−スルホ脂肪酸エステル塩、高級アルコールまたはその酸化エチレン付加物などのリン酸エステル塩、アシル−Ｎ−メチルタウリン塩等のアミノ酸塩などが挙げられる。これらのアニオン性界面活性剤における塩としては、ナトリウム塩、カリウム塩等のアルカリ金属塩；マグネシウム塩等のアルカリ土類金属塩；モノエタノールアミン塩、ジエタノールアミン塩等のアルカノールアミン塩などが挙げられる。これらのアニオン性界面活性剤の中でも、炭素数が８〜１６のアルキル基を有するものが好ましく、炭素数が１０〜１４のアルキル基を有するものがより好ましい。
【００１８】
上記カチオン性界面活性剤としては、例えば、アルキルトリメチルアンモニウム塩、ジアルキルジメチルアンモニウム塩、アルキルベンジルジメチルアンモニウム塩、アルキルピリジニウム塩、エステル型アルキルアンモニウム塩などが挙げられる。これらのカチオン性界面活性剤の中でも、炭素数が４〜２２のアルキル基を有するものが好ましく、炭素数が８〜１６のアルキル基を有するものがより好ましい。
【００１９】
上記ノニオン性界面活性剤は典型的にはイオン性基を有さない界面活性剤であり、当該ノニオン性界面活性剤としては、例えば、ポリオキシアルキレンアルキルエーテル、ポリオキシアルキレンアルキルフェニルエーテル、炭素数８〜２２の脂肪酸や炭素数８〜２２のアミンなどのアルキレンオキサイド付加物、ポリオキシエチレンポリオキシプロピレンブロックコポリマー、脂肪酸アルカノールアミン、脂肪酸アルカノールアミド、多価アルコール脂肪酸エステルまたはそのアルキレンオキサイド付加物、多価アルコール脂肪酸エーテル、アルキルアミンオキサイド、アルケニルアミンオキサイド、硬化ヒマシ油のアルキレンオキサイド付加物、グリセリンやソルビトールなどの多価アルコールと脂肪酸とから形成される糖脂肪酸エステル、Ｎ−アルキルポリヒドロキシ脂肪酸アミド、アルキルグリコシドなどが挙げられる。
【００２０】
上記両性界面活性剤としては、例えば、炭素数４〜２２のアルキルベタイン型両性界面活性剤、炭素数４〜２２のアルキルアミドベタイン型両性界面活性剤、イミダゾリン型両性界面活性剤、炭素数４〜２２のアルキルアミノスルホン型両性界面活性剤、炭素数４〜２２のアルキルアミノカルボン酸型両性界面活性剤、炭素数４〜２２のアルキルアミドカルボン酸型両性界面活性剤、アミドアミノ酸型両性界面活性剤、リン酸型両性界面活性剤などが挙げられる。
【００２１】
また、界面活性剤はフッ素系界面活性剤であってもよい。フッ素系界面活性剤は高濃度化することが困難なことが多いが、本発明によればこのようなフッ素系界面活性剤を用いる場合であっても高濃度化を達成することが可能となる。当該フッ素系界面活性剤としては、例えば、水素原子の一部がフッ素原子で置換されたアルキル基を有する界面活性剤やペルフルオロアルキル基を有する界面活性剤などが挙げられ、より具体的には、ポリオキシアルキレンモノポリフルオロアルキルエーテル、ペルフルオロオクタンスルホン酸塩（ＰＦＯＳ）、ペルフルオロオクタン酸塩（ＰＦＯＡ）、ペルフルオロオクタンスルホンアミド（ＦＯＳＡ）、Ｎ−アルキルペルフルオロオクタンスルホンアミドエタノール（ＦＯＳＥ）、Ｎ−（２，３−ジヒドロキシプロピル）−Ｎ−プロピルペルフルオロオクタンスルホンアミドなどが挙げられる。
【００２２】
本発明の組成物における界面活性剤の含有量は、本発明の効果がより顕著に奏されることなどから、１質量％以上であることが好ましく、５質量％以上であることがより好ましく、１０質量％以上であることがさらに好ましく、２５質量％以上、４５質量％以上、さらには５５質量％以上であってもよい。本発明の組成物における界面活性剤の含有量の上限に特に制限はなく、目的とする用途などに応じて適宜設定することができ、例えば、９９質量％以下であることが好ましく、９７質量％以下であることがより好ましく、９５質量％以下であることがさらに好ましく、９０質量％以下、８０質量％以下、さらには７０質量％以下であってもよい。
【００２３】
本発明の組成物は水を含むものであってもよいし、水を含まないものであってもよい。本発明の組成物における水の含有量は、本発明の効果がより顕著に奏されることなどから、６０質量％以下であることが好ましく、４０質量％以下であることがより好ましい。また、本発明の組成物における水の含有量は、１質量％以上であることが好ましく、５質量％以上であることがより好ましく、１０質量％以上であることがさらに好ましく、２０質量％以上であることが特に好ましい。
【００２４】
本発明の組成物は、上記したＭＭＢ以外の他の溶剤をさらに含んでいてもよい。当該他の溶剤としては、例えば、エタノール、イソプロパノール等のアルコール；エチレングリコールモノブチルエーテル（ＢＥＧ）、ジエチレングリコールモノブチルエーテル（ＢＤＧ）等のグリコールエーテル；プロピレングリコール（ＰＧ）、イソプレングリコール、ジプロピレングリコール、トリプロピレングリコール等のグリコール；イソパラフィン、流動パラフィン、ミネラルスピリット等の炭化水素などが挙げられる。これらの他の溶剤は１種を単独で使用してもよいし、２種以上を併用してもよい。
【００２５】
本発明の組成物における他の溶剤の含有量は、５０質量％以下であることが好ましく、３０質量％以下であることがより好ましく、１０質量％以下であることがさらに好ましく、５質量％以下、３質量％以下、さらには１質量％以下であってもよい。
【００２６】
本発明の組成物は、上記したＭＭＢ、界面活性剤、水、他の溶剤以外の他の成分をさらに含んでいてもよい。これらの他の成分としては、例えば、中和剤、脂肪酸、ｐＨ調整剤、水軟化剤、酵素、防腐剤、防錆剤、各種薬剤などが挙げられる。
【００２７】
本発明の組成物における他の成分の含有量は、５０質量％以下であることが好ましく、３０質量％以下であることがより好ましく、１０質量％以下であることがさらに好ましく、５質量％以下、３質量％以下、さらには１質量％以下であってもよい。
【００２８】
本発明の組成物の製造方法に特に制限はなく、上記したＭＭＢ、界面活性剤および任意成分（水、他の溶剤、他の成分）を混合することにより得ることができる。なお水を含む組成物を製造する場合には、より効率的に目的とする組成物が得られることなどから、界面活性剤とＭＭＢとを先に混合した後に水と混合するのが好ましい。
【００２９】
本発明の組成物を調製する際の温度に特に制限はないが、より効率的に目的とする組成物が得られることなどから、２℃以上であることが好ましく、１０℃以上であることがより好ましく、また、８０℃以下であることが好ましく、５０℃以下であることがより好ましい。
【００３０】
本発明の組成物の用途に特に制限はなく、家庭用、業務用、工業用等の各種用途に好ましく用いることができる。より具体的な用途としては、例えば、衣料用液体洗剤、ユニット・ドース型洗剤、ドライクリーニング・ソープ、衣料用柔軟剤、衣料用シミ取り洗浄剤、漂白剤、台所用洗剤、食器洗い用洗剤、風呂用洗浄剤、トイレ用洗剤、床用洗剤、ガラス用洗剤、多目的洗剤、手洗い洗剤、殺菌剤、殺虫剤、芳香剤、床ワックス、シャンプー、ボディーソープ、ヘアリンス、ヘアトリートメント；医薬品・化粧品における発泡剤；フォームラバーにおける起泡剤；塗料・インキにおける染料や顔料等の分散剤、湿潤剤、消泡剤、表面処理剤および粘性調整剤；乳化重合用乳化剤；繊維工業における洗浄剤、油剤、帯電防止剤、染色助剤、浸透剤、柔軟剤、ビスコース液添加剤、抗菌剤、漂白助剤、染色助剤、帯電防止剤および紡績油剤；石油掘削・石油精製・燃料・船舶産業における乳化破壊剤、油井賦活剤、乳化分散剤、流出油処理剤、重油流動性向上剤、流動点降下剤、脱ろう剤および泡消火剤（消泡剤としては、例えば、水系消火剤、フッ化蛋白泡消火剤等）；製紙工業における脱墨剤、抄紙工程用薬剤、消泡剤、脱ピッチ剤、洗浄剤、カーリング防止剤およびビスコース添加剤；土木・建築におけるＡＥ剤、セメント減水剤およびアスファルト用乳化剤；コンクリートにおける起泡剤および表面処理剤；皮革工業における脱脂剤および均染剤；ゴム・プラスチック工業における乳化重合用乳化剤、帯電防止剤、離型剤、可塑剤、消泡剤、粘性調整剤および滑剤；選鉱工程における起泡剤；機械・金属加工における洗浄剤、防錆防蝕剤、潤滑剤、消泡剤、防錆剤、金属表面処理剤、金属加工油および不凍液；医薬品・農薬製剤（ユニット・ドース型農薬製剤などを含む）における乳化剤、分散剤、水和剤、固着剤および展着剤；半導体製造における剥離剤および洗浄剤；レベリング剤；写真用乳剤；農業用フィルム防霜剤；スキーワックスなどが挙げられる。
【００３１】
本発明の組成物の保存形態に特に制限はなく、例えば、プラスチック製容器、金属製容器等の液体耐性を有する容器に入れて保存することができる。また、本発明の組成物を水溶性樹脂フィルムを用いて個包装するなどして、ユニット・ドース型の製品とすることもできる。このようなユニット・ドース型の製品は、組成物が消費者の皮膚等に直接接触することを避けることができ、また、計量の手間や計量間違いなどを防ぐことができ好ましい。
【実施例】
【００３２】
以下、実施例により本発明をさらに詳細に説明するが、本発明はかかる実施例により何ら限定されない。
【００３３】
〔実施例１および比較例１〜３〕
・粘度（１）
以下、衣料用の高濃度濃縮液体洗剤用途を想定した評価として、表１に示す組成（処方１）の水溶液を調製し、その粘度を測定した。結果を表２に示す。
【００３４】
【表１】
2018066021.tif 000002
【００３５】
【表２】
2018066021.tif 000003
【００３６】
溶剤としてＭＭＢを含む実施例１の組成物は、その他の溶剤を含む比較例１〜３の組成物よりも粘度が低く、低粘度化を達成できることが分かる。
【００３７】
〔実施例２および比較例４〜６〕
・粘度（２）
以下、高濃度界面活性剤水溶液を想定した評価として、表３に示す組成（処方２）の水溶液を調製し、その粘度を測定した。結果を表４に示す。
【００３８】
【表３】
2018066021.tif 000004
【００３９】
【表４】
2018066021.tif 000005
【００４０】
溶剤としてＭＭＢを含む実施例２の組成物は、その他の溶剤を含む比較例４〜６の組成物と比較して、幅広い温度領域にわたり粘度が低く、特に低温下での低粘度化を達成できることが分かる。
【００４１】
〔実施例３および比較例７〜９〕
・界面活性剤濃度
以下、組成物における界面活性剤の濃度の上限を評価するため、フッ素系界面活性剤（Ｎ−（２，３−ジヒドロキシプロピル）−Ｎ−プロピルペルフルオロオクタンスルホンアミド）１ｇと下記溶剤１０ｇとを混合し、フッ素系界面活性剤の一部が析出していることを確認した上で、撹拌下に同じ溶剤を１ｇずつ追加していき、組成物が均一で透明に溶解した時点の溶剤の量（当初の１０ｇを含めた量）を確認した。結果を表５に示す。
【００４２】
【表５】
2018066021.tif 000006
【００４３】
溶剤としてＭＭＢを用いた場合には、その他の溶剤を用いた比較例７〜９と比較してより少ない量でフッ素系界面活性剤を溶解することができ、界面活性剤の濃度をより高くすることができることが分かる。
【００４４】
〔実施例４および比較例１０〕
・保存安定性
以下、組成物の形態の安定性を評価するため、表６に示す組成（処方３）の水溶液を調製し、これを低温（２℃）、室温、または、高温（５０℃）にて２４時間静置した後の組成物の形態（状態）を目視にて観察して評価した。結果を表７に示す。
【００４５】
【表６】
2018066021.tif 000007
【００４６】
【表７】
2018066021.tif 000008
【００４７】
溶剤としてＭＭＢを含む実施例４の組成物は、ＰＧを含む比較例１０の組成物と比較して、幅広い温度領域にわたり形態の安定性に優れていることが分かる。
【００４８】
〔実施例５および比較例１１〜１４〕
・冷水溶解性
以下、組成物の冷水への溶解性を評価するため、表８に示す組成（処方４）の水溶液を調製し、この水溶液０．１ｇを５℃の冷水１００ｍＬ中に添加して撹拌し、組成物が完全に溶解するまでに要した時間を測定した。なお、目視にて均一・透明になった時点を完全に溶解したと判断した。結果を表７に示す。
【００４９】
【表８】
2018066021.tif 000009
【００５０】
【表９】
2018066021.tif 000010
【００５１】
溶剤としてＭＭＢを含む実施例５の組成物は、それを含まない比較例１１ないし他の溶剤を含む比較例１２〜１４と比較して、冷水への溶解時間が早く、冷水溶解性に優れることが分かる。